(57)【要約】【課題】吸収性物品の着用者等に、吸収性物品の貫通孔を視認させやすくする。【解決手段】  前側胴回り部（２０）と、後側胴回り部（３０）と、を有し、前記前側胴回り部（２０）又は前記後側胴回り部（３０）の少なくとも一方に、前後方向に貫通した孔部（５０）を備えた吸収性物品（１）であって、前記前側胴回り部（２０）及び前記後側胴回り部（３０）のうち、前後方向において、前記前側胴回り部（２０）と前記後側胴回り部（３０）とが重ねられていない非重なり領域（３０ＮＬ）に、少なくとも１つの前記孔部（５０）を備えている、ことを特徴とする吸収性物品（１）。【選択図】図１
2019084042.tif 000002
【特許請求の範囲】
【請求項１】
互いに交差する上下方向と左右方向と前後方向を有し、
前側胴回り部と、
後側胴回り部と、を有し、
前記前側胴回り部又は前記後側胴回り部の少なくとも一方に、前記前後方向に貫通した孔部を備えた吸収性物品であって、
前記前側胴回り部及び前記後側胴回り部のうち、前記前後方向において、前記前側胴回り部と前記後側胴回り部とが重ねられていない非重なり領域に、少なくとも１つの前記孔部を備えている、ことを特徴とする吸収性物品。
【請求項２】
請求項１に記載の吸収性物品であって、
前記後側胴回り部は、前記前側胴回り部と前記前後方向に重ねられていない後側非重なり領域を備えており、
前記後側非重なり領域に、少なくとも１つの前記孔部を備えている、ことを特徴とする吸収性物品。
【請求項３】
請求項２に記載の吸収性物品であって、
前記前側胴回り部と前記後側胴回り部とは、前記左右方向の両端部において互いに接合されており、
前記後側非重なり領域は、接合された前記両端部の最下端よりも下側に突出した部分に設けられている、ことを特徴とする吸収性物品。
【請求項４】
請求項３に記載の吸収性物品であって、
前記後側胴回り部は、前記左右方向に伸縮する弾性部材を備え、
前記後側胴回り部は、前記前側胴回り部と前記前後方向に重ねられている後側重なり領域を有しており、
前記後側非重なり領域における最も下側に位置する第１下端弾性部材と、前記第１下端弾性部材の上側に隣り合う前記弾性部材との間隔が、
前記後側重なり領域における最も下側に位置する第２下端弾性部材と、前記第２下端弾性部材の上側に隣り合う前記弾性部材との間隔よりも大きい、ことを特徴とする吸収性物品。
【請求項５】
請求項４に記載の吸収性物品であって、
前記第１下端弾性部材の張力は、前記第２下端弾性部材の張力よりも小さい、ことを特徴とする吸収性物品。
【請求項６】
請求項４または５に記載の吸収性物品であって、
前記後側非重なり領域のうち、前記第１下端弾性部材よりも前記上下方向の下側に、少なくとも１つの前記孔部を備えている、ことを特徴とする吸収性物品。
【請求項７】
請求項３〜６のいずれか１項に記載の吸収性物品であって、
液吸収性の吸収性本体を備え、
前記吸収性本体の前側上端部が前記前側胴回り部と接合され、前記吸収性本体の後側上端部が前記後側胴回り部と接合されており、
前記吸収性本体の前記左右方向両端部には、前記上下方向に沿って伸縮する脚回り弾性部材が設けられており、
前記後側非重なり領域のうち、前記上下方向において、前記脚回り弾性部材による伸縮性が発現している範囲と重複しない領域に、少なくとも１つの前記孔部を備えている、ことを特徴とする吸収性物品。
【請求項８】
請求項３〜７のいずれか１項に記載の吸収性物品であって、
液吸収性の吸収性本体を備え、
前記吸収性本体の前側上端部が前記前側胴回り部と接合され、前記吸収性本体の後側上端部が前記後側胴回り部と接合されており、
前記吸収性本体の前記左右方向両端部には、前記上下方向に沿って伸縮する脚回り弾性部材が設けられており、
前記後側非重なり領域のうち、前記上下方向において、前記脚回り弾性部材による伸縮性が発現している範囲と重複する領域では、
前記左右方向における前記吸収性本体の一方側の端から、
前記左右方向における前記吸収性本体の一方側の端と前記後側胴回り部の一方側の端との間の距離の１／２以上離れた位置に、少なくとも１つの前記孔部を備えている、ことを特徴とする吸収性物品。
【請求項９】
請求項１〜８のいずれか１項に記載の吸収性物品であって、
前記後側胴回り部は、
前記前側胴回り部と前記前後方向に重ねられた後側重なり領域と、
前記前側胴回り部と前記前後方向に重ねられていない後側非重なり領域と、を備えており、
前記後側非重なり領域において単位面積あたりに備えられている前記孔部の数は、前記後側重なり領域において単位面積あたりに備えられている前記孔部の数よりも少ない、ことを特徴とする吸収性物品。
【発明の詳細な説明】
【技術分野】
【０００１】
本発明は、吸収性物品に関する。
【背景技術】
【０００２】
従来、尿などの排泄物を吸収する吸収性物品として使い捨ておむつ等が知られている。例えば、文献１には、厚み方向に貫通した複数のスリット８を形成することで、オープン型の使い捨ておむつ１内及びパンツ型の使い捨ておむつ３０内の蒸れを防止することが記載されている。
【先行技術文献】
【特許文献】
【０００３】
【特許文献１】特開２００２−６５７３１号
【発明の概要】
【発明が解決しようとする課題】
【０００４】
しかしながら、文献１に示す使い捨ておむつ１、３０の自然状態においては、胴回り弾性部材７の収縮によって、使い捨ておむつ１、３０の着用者や着用させようとする者が、スリット８を視認することができない恐れがあり、通気性の良を外観から認識することができない場合があった。
【０００５】
本発明は、上記のような従来の問題に鑑みてなされたものであって、その目的は、吸収性物品の着用者や着用させようとする者に、吸収性物品の貫通孔を視認させやすくして、通気性の良さを認識させやすくすることにある。
【課題を解決するための手段】
【０００６】
上記目的を達成するための主たる発明は、互いに交差する上下方向と左右方向と前後方向を有し、前側胴回り部と、後側胴回り部と、を有し、前記前側胴回り部又は前記後側胴回り部の少なくとも一方に、前記前後方向に貫通した孔部を備えた吸収性物品であって、前記前側胴回り部及び前記後側胴回り部のうち、前記前後方向において、前記前側胴回り部と前記後側胴回り部とが重ねられていない非重なり領域に、少なくとも１つの前記孔部を備えている、ことを特徴とする吸収性物品である。
本発明の他の特徴については、本明細書及び添付図面の記載により明らかにする。
【発明の効果】
【０００７】
本発明によれば、吸収性物品の貫通孔を視認しやすくなり、通気性の良さを実感させやすくすることができる。
【図面の簡単な説明】
【０００８】
【図１】図１Ａは、自然状態のおむつ１を前側から見た概略正面図である。図１Ｂは、自然状態のおむつ１を後側から見た概略背面図である。
【図２】図２は、展開した伸長状態のおむつ１を肌側から見た平面図である。
【図３】図３は、図２中のIII−III断面図である。
【図４】図４は、図２中のIV−IV断面図である。
【図５】図５Ａ及び図５Ｂはおむつ１に設けられる非重なり領域の変形例について示す図である。
【図６】図６Ａは、図２中の後側胴回り部３０のＡ−Ａ断面の模式図、図６Ｂは、図２中の後側胴回り部３０のＢ−Ｂ断面の模式図である。
【図７】後側非重なり領域３０ＮＬにおける孔部５０の配置の変形例について示す概略平面図である。
【発明を実施するための形態】
【０００９】
本明細書及び添付図面の記載により、少なくとも以下の事項が明らかとなる。
互いに交差する上下方向と左右方向と前後方向を有し、前側胴回り部と、後側胴回り部と、を有し、前記前側胴回り部又は前記後側胴回り部の少なくとも一方に、前記前後方向に貫通した孔部を備えた吸収性物品であって、前記前側胴回り部及び前記後側胴回り部のうち、前記前後方向において、前記前側胴回り部と前記後側胴回り部とが重ねられていない非重なり領域に、少なくとも１つの前記孔部を備えている、ことを特徴とする吸収性物品。
【００１０】
このような吸収性物品によれば、自然状態において、前側からも後側からも孔部が視認しやすい。また、孔部が非重なり領域に設けられていることから、使用者は、該孔部を通して前後方向の一方側から他方側を見ることが可能となるため、貫通孔であることを認識しやすい。したがって、使用者に、吸収性物品の貫通孔を視認させやすく、また、通気性の良さを認識させやすくすることができる。
【００１１】
かかる吸収性物品において、前記後側胴回り部は、前記前側胴回り部と前記前後方向に重ねられていない後側非重なり領域を備えており、前記後側非重なり領域に、少なくとも１つの前記孔部を備えている、ことが望ましい。
【００１２】
このような吸収性物品によれば、後側胴回り部において、前側からも後側からも孔部が視認しやすく、また、孔部が貫通孔であることを認識しやすくなる。したがって、使用者に、吸収性物品の貫通孔を視認させやすく、また、通気性の良さを認識させやすくすることができる。
【００１３】
かかる吸収性物品において、前記前側胴回り部と前記後側胴回り部とは、前記左右方向の両端部において互いに接合されており、前記後側非重なり領域は、接合された前記両端部の最下端よりも下側に突出した部分に設けられている、ことが望ましい。
【００１４】
このような吸収性物品によれば、後側非重なり領域が、吸収性物品の着用時において、着用者の臀部を覆う臀部カバーとしての機能を有し、また、当該臀部カバーに設けられた孔部が使用者に認識されやすくなる。これにより、汗をかきやすい臀部において良好な通気性を有していることを、使用者に認識させることができる。
【００１５】
かかる吸収性物品において、前記後側胴回り部は、前記左右方向に伸縮する弾性部材を備え、前記後側胴回り部は、前記前側胴回り部と前記前後方向に重ねられている後側重なり領域を有しており、前記後側非重なり領域における最も下側に位置する第１下端弾性部材と、前記第１下端弾性部材の上側に隣り合う前記弾性部材との間隔が、前記後側重なり領域における最も下側に位置する第２下端弾性部材と、前記第２下端弾性部材の上側に隣り合う前記弾性部材との間隔よりも大きい、ことを特徴とする吸収性物品。
ことが望ましい。
【００１６】
このような吸収性物品によれば、後側非重なり領域における収縮力を後側重なり領域における収縮力よりも小さくすることができるため、後側非重なり領域の孔部が皺で覆われてしまう恐れを軽減し、吸収性物品を前側から見た場合にも、後側胴回り部の孔部を視認しやすくすることができる。
【００１７】
かかる吸収性物品において、前記第１下端弾性部材の張力は、前記第２下端弾性部材の張力よりも小さい、ことが望ましい。
【００１８】
このような吸収性物品によれば、後側非重なり領域における収縮力をより小さくすることができるため、後側非重なり領域の孔部が皺で覆われてしまう恐れを軽減し、吸収性物品を前側から見た場合にも、後側胴回り部の孔部をより視認しやすくすることができる。
【００１９】
かかる吸収性物品において、前記後側非重なり領域のうち、前記第１下端弾性部材よりも前記上下方向の下側に、少なくとも１つの前記孔部を備えている、ことが望ましい。
【００２０】
このような吸収性物品によれば、第１下端弾性部材よりも下側の領域では、弾性部材（第１下端弾性部材）による張力が作用し難いため皺が形成され難い。したがって、当該領域に配置された孔部は、皺や収縮の影響を受け難く、より視認しやすくなる。
【００２１】
かかる吸収性物品において、液吸収性の吸収性本体を備え、前記吸収性本体の前側上端部が前記前側胴回り部と接合され、前記吸収性本体の後側上端部が前記後側胴回り部と接合されており、前記吸収性本体の前記左右方向両端部には、前記上下方向に沿って伸縮する脚回り弾性部材が設けられており、前記後側非重なり領域のうち、前記上下方向において、前記脚回り弾性部材による伸縮性が発現している範囲と重複しない領域に、少なくとも１つの前記孔部を備えている、ことが望ましい。
【００２２】
このような吸収性物品によれば、上下方向において脚回り弾性部材による伸縮性が発現している範囲と重複しない領域では、該脚回り弾性部材による収縮力が作用し難いため、当該領域に配置された孔部は上下方向に縮み難く、視認性が悪化することを抑制しやすくなる。したがって、後側非重なり領域が良好な通気性を有していることを使用者に認識させやすくなる。
【００２３】
かかる吸収性物品において、液吸収性の吸収性本体を備え、前記吸収性本体の前側上端部が前記前側胴回り部と接合され、前記吸収性本体の後側上端部が前記後側胴回り部と接合されており、前記吸収性本体の前記左右方向両端部には、前記上下方向に沿って伸縮する脚回り弾性部材が設けられており、前記後側非重なり領域のうち、前記上下方向において、前記脚回り弾性部材による伸縮性が発現している範囲と重複する領域では、前記左右方向における前記吸収性本体の一方側の端から、前記左右方向における前記吸収性本体の一方側の端と前記後側胴回り部の一方側の端との間の距離の１／２以上離れた位置に、少なくとも１つの前記孔部を備えている、ことが望ましい。
【００２４】
このような吸収性物品によれば、脚回り弾性部材から所定距離以上離れて孔部が配置されることにより、該脚回り弾性部材による収縮力が孔部の位置まで作用し難くなり、孔部は上下方向に縮み難く、視認性が悪化することを抑制しやすくなる。これにより、後側非重なり領域が良好な通気性を有していることを使用者に認識させやすくすることができる。
【００２５】
かかる吸収性物品において、前記後側胴回り部は、前記前側胴回り部と前記前後方向に重ねられた後側重なり領域と、前記前側胴回り部と前記前後方向に重ねられていない後側非重なり領域と、を備えており、前記後側非重なり領域において単位面積あたりに備えられている前記孔部の数は、前記後側重なり領域において単位面積あたりに備えられている前記孔部の数よりも少ない、ことが望ましい。
【００２６】
このような吸収性物品によれば、後側重なり領域と比較して強度が低くなりやすい後側非重なり領域において開孔密度を小さくすることにより、後側非重なり領域の強度が過度に低下することを抑制することができる。これにより、後側非重なり領域を破れ難くするとともに、各々の孔部を目立ちやすくして、使用者に良好な通気性を認識させやすくすることができる。
【００２７】
＝＝＝本実施形態に係る使い捨ておむつについて＝＝＝
＜＜＜使い捨ておむつ１の構成について＞＞＞
図１Ａは、本実施形態の吸収性物品の一例としての自然状態のおむつ１を前側から見た概略正面図である。図１Ｂは、自然状態のおむつ１を後側から見た概略背面図である。図２は、展開した伸長状態のおむつ１を肌側から見た平面図である。図３は、図２中のIII−III断面図である。図４は、図２中のIV−IV断面図である。
【００２８】
以下の説明では、図１の状態（自然状態）のおむつ１は、「上下方向」を有し、おむつ１の上下方向の胴回り開口部ＢＨ側を「上側」、股下側を「下側」という。また、おむつ１は、上下方向と交差する「左右方向」と、上下方向及び左右方向と交差する「前後方向」を有し、前後方向の前側を「腹側」、後側を「背側」ともいう。さらに、前後方向を「厚さ方向」ともいい、着用者に接触する側を「肌側」、その反対側を「非肌側」ともいう。また、図２の状態（展開状態及び伸長状態）でのおむつ１の長手方向を「長手方向」、長手方向の一方側を「腹側」、他方側を「背側」ともいい、長手方向の一方側の端部及び他方側の端部をそれぞれ「上側」、長手方向における略中央部Ｃ１０側を「下側」ともいう。図２等におけるＣ−Ｃは、左右方向中心を示している。
【００２９】
なお、おむつ１の「自然状態」とは、以下のように定義される。まず、製品として梱包されているおむつ１をパッケージから取り出した後、前側胴回り部２０及び後側胴回り部３０を左右方向の両外側に引っ張り、前側胴回り部２０及び後側胴回り部３０がそれぞれ各部材単体の寸法と一致又はそれに近い長さになるまで伸長させる。この伸長させた状態を１５秒継続させた後、おむつ１の伸長させた状態を解除して机等の平面に置く。そして、この平面に置いた状態で５分間経過させた状態がおむつ１の自然状態である。「展開状態」とは、前側胴回り部２０の側端部２０ａと後側胴回り部３０の側端部３０ａとの接合をそれぞれ分離し、開いておむつ１全体を平面的に展開した状態である。「伸長状態」とは、おむつ１（前側胴回り部２０及び後側胴回り部３０）を皺がなくなるまで伸長させた状態をいい、具体的には、おむつ１を構成する部材（前側胴回り部２０や後側胴回り部３０）の寸法がその部材単体の寸法と一致又はそれに近い長さになるまで伸長された状態をいう。
【００３０】
本実施形態に係る使い捨ておむつ１（以下、「おむつ１」と呼ぶ。）は、主に乳幼児を着用対象とした所謂３ピースタイプのパンツ型おむつであり、着用者の股間に配置される吸収性本体１０と、吸収性本体１０の前側上端部に接合され、着用者の腹側を覆う前側胴回り部２０と、吸収性本体１０の後側上端部に接合され、背側を覆う後側胴回り部３０を有する。前側胴回り部２０と後側胴回り部３０は、それぞれ「胴回り部」ともいう。
【００３１】
図２に示すように、展開状態のおむつ１は、前側胴回り部２０と後側胴回り部３０とが長手方向に間隔を空けて平行に並んだ状態で、これら胴回り部２０、３０同士の間に吸収性本体１０が架け渡されて、吸収性本体１０の縦方向の端部と各胴回り部２０、３０がそれぞれ接着剤等により接合固定されて、平面視略Ｈ形状となっている。そして、略Ｈ形状の展開状態から、長手方向の略中央部Ｃ１０を折り位置として吸収性本体１０を二つ折りするとともに、二つ折り状態で、互いに対向する前側胴回り部２０と後側胴回り部３０の左右方向の両端部、つまり、前側胴回り部２０の側端部（「端部」ともいう。）２０ａと後側胴回り部３０の側端部３０ａ（「端部」ともいう。）を溶着等で接合すると、前側胴回り部２０と後側胴回り部３０が環状に繋がって、図１Ａ及び図１Ｂに示すような胴回り開口ＢＨ及び一対の脚回り開口ＬＨ、ＬＨが設けられたパンツ型のおむつ１となる。
【００３２】
図２、図３及び図４に示すように、吸収性本体１０は、平面視略長方形状を有し、吸収性本体１０の長手方向は、上下方向に沿うように配置されている。また、吸収性本体１０は、吸収体１１と、吸収体１１を肌側から覆うトップシート１３と、吸収体１１を非肌側から覆う外装シート１４、バックシート１５とを備える。
【００３３】
吸収体１１は、尿等の排泄物を吸収することができる液吸収性の吸収性コア１１ｃと、吸収性コア１１ｃの外周面を被覆するティッシュペーパー等の液透過性のコアラップシート１１ｒを有する。吸収性コア１１ｃは、所定の液体吸収性素材を所定形状の一例である平面視略砂時計形状に成形した成形体である。液体吸収性素材としては、パルプ繊維等の液体吸収性繊維や、高吸収性ポリマー（所謂ＳＡＰ）等の液体吸収性粒状物を例示できる。
【００３４】
トップシート１３は、吸収体１１から上下方向及び左右方向に突出する平面サイズの不織布等の液透過性のシートである。また、バックシート１５は、吸収体１１から上下方向及び左右方向に突出する平面サイズのシートであり、液不透過性の防漏シートである。バックシート１５の非肌側には、不織布の外装シート１４が設けられている。
【００３５】
吸収性本体１０の左右方向における両側部、すなわち脚回り開口ＬＨを形成する部位には、吸収性本体１０の長手方向に沿って伸縮するレッグギャザーＬＧ（脚周り伸縮部）がそれぞれ設けられている。レッグギャザーＬＧは、バックシート１５及び外装シート１４の厚さ方向の間に、吸収性本体１０の長手方向に沿って伸長された状態の糸ゴム等の脚回り弾性部材４５が挟み込まれて固定されることにより形成されている（図４等参照）。この脚回り弾性部材４５によって、吸収性本体１０の長手方向（上下方向）に沿った伸縮性がレッグギャザーＬＧに付与され、おむつ１着用時における脚回り開口ＬＨのフィット性を向上させている。
【００３６】
また、吸収性本体１０の左右方向において、レッグギャザーＬＧよりも内側には、一対のレッグサイドギャザーＬＳＧ（立体ギャザー）が設けられている。レッグサイドギャザーＬＳＧは、吸収性本体１０の肌側に備えられ、脚繰りの隙間からの液漏れを防止する防漏壁としての機能を有している。レッグサイドギャザーＬＳＧは、吸収性本体１０の左右方向両端から、外装シート１４が肌側に立ち上がることにより形成される。レッグサイドギャザーＬＳＧの左右方向の内側端部には、吸収性本体１０の長手方向に沿って伸長された状態の糸ゴム等の防漏壁弾性部材４６が設けられており、該防漏壁弾性部材４６による伸縮性が付与されることによって、レッグサイドギャザーＬＳＧが肌側に立ち上がる。
【００３７】
図３に示すように、前側胴回り部２０は、厚さ方向の肌側から順に肌側シート２１及び非肌側シート２２が重ねられて接合されており、後側胴回り部３０は、厚さ方向の肌側から順に肌側シート３１及び非肌側シート３２が重ねられて接合されている。肌側シート２１、非肌側シート２２、及び肌側シート３１、非肌側シート３２は、いずれもスパンボンドやＳＭＳ（スパンボンド／メルトブローン／スパンボンド）等の不織布からなる平面視略矩形のシート部材からなる。本実施形態においては、肌側シート２１、３１にはＳＭＳ不織布を用いており、非肌側シート２２、３２には、スパンボンド不織布を用いている。スパンボンド不織布は、ポリプロピレン（ＰＰ）やポリエチレン（ＰＥ）等の熱可塑性樹脂の単独繊維や、ＰＰ及びＰＥの鞘芯構造等の複合繊維からなるものであっても良い。
【００３８】
肌側シート２１と非肌側シート２２、及び肌側シート３１と非肌側シート３２は、ホットメルト等の接着剤でそれぞれ接合されて前側胴回り部２０、及び後側胴回り部３０が形成されている。
【００３９】
図３に示すように、前側胴回り部２０の上側の端部は、肌触りの向上と耐久性向上のために、前側胴回り部２０の上端である前側上端２０ｔを起点として、非肌側シート２２が肌側の下方へ折り返されて、折り返し部分２２ｆを形成している。同様に、後側胴回り部３０の上部も、後側胴回り部３０の上端である後側上端３０ｔを起点として、非肌側シート３２が肌側の下方へ折り返されて、折り返し部分３２ｆを形成している。
【００４０】
また、前側胴回り部２０は、折り返し部分２２ｆの下端部から吸収性本体１０の腹側の上端部までを肌側から覆うように配置したシート部材２４を備えている。同様に、後側胴回り部３０は、折り返し部分３２ｆの下端部から吸収性本体１０の背側の上端部までを肌側から覆うように配置したシート部材３４を備えている。シート部材２４、３４は、不織布等からなる矩形状のシート部材である。このシート部材２４、３４によって、吸収性本体１０の上下方向の端部が着用者の肌と直接接触することを抑制することができ、着用時における胴回りの肌触りを良好なものにすることができる。また、シート部材２４、３４は、前側胴回り部２０及び後側胴回り部３０の上下方向の上側端部の強度を高めることができる。
【００４１】
さらに、前側胴回り部２０及び後側胴回り部３０は、肌側から非肌側に貫通する孔部５０が、上下方向及び左右方向に所定の間隔で複数設けられている（図１、図２参照）。孔部５０の詳細については、後述する。
【００４２】
前側胴回り部２０の肌側シート２１と非肌側シート２２の間には、左右方向に沿った糸ゴム等の複数の弾性部材２５、２５・・・が配置されている。弾性部材２５は、左右方向に伸長された状態で、肌側シート２１及び非肌側シート２２に、接着剤等により接合固定されている。複数の弾性部材２５、２５・・・は、上下方向に間隔を空けながら、並んで配置されている。
【００４３】
同様に、後側胴回り部３０の肌側シート３１と非肌側シート３２の間には、左右方向に沿った糸ゴム等の複数の弾性部材３５、３５・・・が配置されている。弾性部材３５は、左右方向に伸長された状態で、肌側シート３１及び非肌側シート３２に、接着剤等により接合固定されている。複数の弾性部材３５、３５・・・は、上下方向に間隔を空けながら、並んで配置されている。
【００４４】
弾性部材２５、３５は、前側胴回り部２０及び後側胴回り部３０に対して左右方向の伸縮性を付与し、自然状態において前側胴回り部２０及び後側胴回り部３０に複数の皺を形成させる。前側胴回り部２０及び後側胴回り部３０に形成された皺の多くは、各シート２１、２２、３１、３２を左右方向に縮めて、上下方向に沿った形状となる。
【００４５】
なお、弾性部材２５、３５のうち、左右方向の中央部付近の吸収体１１と重複する領域を非連続として、当該領域においては、弾性部材２５、３５による伸縮性が発現しないようにしている。これにより、吸収体１１に作用する左右方向の収縮が抑制されて、吸収体１１を略平坦に維持しやすくなるため、排泄物の漏れ等を抑制することができる。
【００４６】
＜＜＜孔部５０について＞＞＞
以下、孔部５０について説明する。前側胴回り部２０及び後側胴回り部３０に備えられた複数の孔部５０は、それぞれ肌側シート２１、３１及び非肌側シート２２、３２を貫通しており、おむつ１の着用時において、肌側から非肌側への通気性を向上させる。前側胴回り部２０及び後側胴回り部３０の孔部５０は、それぞれ略円形状で、略同じ大きさである。図２に示すように、前側胴回り部２０には、左右において吸収性本体１０より外側、且つ、上下方向において吸収体１１と重なる領域１１ｆに、複数の孔部５０が千鳥状に配置されている。このとき、弾性部材２５が孔部５０によって切断されないこと、すなわち、弾性部材２５が孔部５０によって非連続とされていないことが好ましい。本実施形態における孔部５０は、図２に示されるように上下方向に隣り合う弾性部材２５，２５の間の領域に、弾性部材２５と重複しないように配置されているため、弾性部材２５は孔部５０によって非連続とされていない。
【００４７】
同様に、後側胴回り部３０には、左右方向において吸収性本体１０より外側、且つ、上下方向において吸収体１１と重なる領域１１ｂに、複数の孔部５０が千鳥状に配置されている。そして、各々の孔部５０は、図２に示されるように上下方向に隣り合う弾性部材３５，３５の間の領域に、弾性部材３５と重複しないように配置されており、弾性部材３５は孔部５０によって非連続とされていない。
【００４８】
なお、孔部５０が備えられている領域はこの限りでない。例えば、前側胴回り部２０及び後側胴回り部３０において、領域１１ｆ，１１ｂよりも上下方向の上側の領域や、吸収体１１の上端部よりも上側の領域等に孔部５０が備えられていても良い。
【００４９】
おむつ１は、前側胴回り部２０と後側胴回り部３０とが前後方向に重ねられた重なり領域と、前後方向に重ねられていない非重なり領域とを有している。ここで、「前後方向に重ねられた」とは、自然状態において前側胴回り部２０と後側胴回り部３０とが前後方向に重複した部分を有していることを言う。同様に、「前後方向に重ねられていない」とは、自然状態において前側胴回り部２０と後側胴回り部３０とが前後方向に重複した部分を有していないことを言う。つまり、おむつ１を着用させようとする人（若しくは購入した人）がパッケージからおむつ１を取り出して実際に使用する際に、前側胴回り部２０と後側胴回り部３０とが重なって見える領域が重なり領域であり、重なって見えない部分が非重なり領域である。
【００５０】
本実施形態では、図１Ａ及び図１Ｂに示されるように、上下方向において側端部２０ａ及び側端部３０ａが形成されている領域では、前側胴回り部２０と後側胴回り部３０とが前後方向に重複している。一方、側端部２０ａ及び側端部３０ａよりも下側の領域では両者が重複していない。すなわち、後側胴回り部３０は、側端部（端部）３０ａと前後方向に重複する領域において、前側胴回り部２０と重ねられた後側重なり領域３０Ｌを有し、側端部（端部）３０ａの最下端よりも下側に突出した領域において、前側胴回り部２０と重ねられていない後側非重なり領域３０ＮＬを有している。そして、おむつ１では、後側非重なり領域３０ＮＬに少なくとも１以上の孔部５０が備えられている。後側非重なり領域３０ＮＬは、自然状態のおむつ１において、前側からも後側からも視認可能な部分である（図１Ａ及び図１Ｂ参照）。したがって、当該部分に配置された孔部５０は、自然状態において前側からも後側からも視認しやすく、且つ、貫通孔であることが認識されやすい。
【００５１】
仮に、孔部５０が前側胴回り部２０と後側胴回り部３０とが前後方向に重ねられた重なり領域にのみ備えられていた場合、当該重なり領域では前側及び後側のどちらか一方側からしか孔部５０を視認することができない。さらにこの場合、孔部５０の前後方向に重ねて胴回り部２０，３０が設けられていることから、孔部５０が貫通孔であることがわかり難い。例えば、おむつ１の使用者（おむつ１を着用させようとする者や、おむつ１の着用者）が前側胴回り部２０の重なり領域に設けられた孔部５０を前後方向の前側から見たとき、前後方向の後側に重ねられた後側胴回り部３０によって孔部５０が塞がれているように見えるため、孔部５０が貫通孔であることを認識し難い場合がある。
【００５２】
これに対して、本実施形態では、後側非重なり領域３０ＮＬに孔部５０が設けられていることから、おむつ１の使用者は、該孔部５０を通して前後方向の一方側から他方側を見ることが可能となる。すなわち、孔部５０が前側からも後側から視認可能であり、且つ、貫通孔であることを認識しやすい。したがって、おむつ１が良好な通気性を有していることを認識しやすくなる。また、後側非重なり部３０ＮＬは、おむつ１の着用時に着用者の臀部を覆う臀部カバーとしての機能を有する部分である。したがって、おむつ１は、着用時に汗をかきやすい臀部領域において良好な通気性を有していることを、使用者に認識させることができる。
【００５３】
なお、図１Ａ及び図１Ｂでは、おむつ１の非重なり領域として後側胴回り部３０に後側非重なり領域３０ＮＬが示されているが、前側胴回り部２０及び後側胴回り部３０の他の部分に非重なり領域が設けられていても良い。図５Ａ及び図５Ｂはおむつ１に設けられる非重なり領域の変形例について示す図である。図５Ａは、変形例のおむつ１を自然状態において前側から見た概略正面図であり、図５Ｂは、変形例のおむつ１を自然状態において後側から見た概略背面図である。同図５Ａ及び図５Ｂに示されるように、変形例のおむつ１では、後側胴回り部３０の上端３０ｔが前側胴回り部２０の上端２０ｔよりも上下方向の上側に位置している。つまり、変形例の後側胴回り部３０の上端部は、前側胴回り部２０の上端２０ｔよりも上側に突出しており、当該突出した領域は、前側胴回り部２０と前後方向に重ねられていない後側非重なり領域３０ＮＬＵとなっている。そして、後側非重なり領域３０ＮＬＵに孔部５０が備えられている。
【００５４】
この変形例の場合も、後側非重なり領域３０ＮＬＵに備えられた孔部５０は、前側からも後側からも視認可能であり、且つ、貫通孔であることが一見して明らかである。したがって、使用者は、変形例のおむつ１が後側非重なり領域３０ＮＬＵにおいて良好な通気性を有していることを認識しやすい。なお、図５Ａ及び図５Ｂでは、後側非重なり領域３０ＮＬＵが後側胴回り部３０の上端部に設けられていたが、非重なり領域が前側胴回り部２０側に設けられ、前側胴回り部２０の非重なり領域に孔部５０が備えられていても良い。この場合も上記と同様に、孔部５０が前側からも後側からも視認可能であり、且つ、貫通孔であることが一見して明らかであることから、おむつ１が良好な通気性を有していることを使用者に認識させやすくすることができる。
【００５５】
また、おむつ１では、図２に示されるように後側非重なり領域３０ＮＬにおける最も下側に位置する弾性部材３５ａ（第１弾性部材）と、弾性部材３５ａの上下方向の上側に隣り合う弾性部材３５ｂとの間隔Ｌｘが、後側胴回り部３０のうち前側胴回り部２０と重ねられた領域（上下方向において側端部２０ａ，３０ａが形成されている領域）における最も下側に位置する弾性部材３５ｃ（第２弾性部材）と、弾性部材３５ｃの上下方向の上側に隣り合う弾性部材３５ｄとの間隔Ｌｙよりも大きいことが好ましい（Ｌｘ＞Ｌｙ）。このように弾性部材３５を配置することで、非重なり後側非重なり領域３０ＮＬの収縮力をより小さくして、後側非重なり領域３０ＮＬに形成される皺の数を減らし、後側非重なり領域３０ＮＬにおいて孔部５０を視認しやすくすることができる。
【００５６】
ここで、「収縮力」とは、自然状態において、前側胴回り部２０又は後側胴回り部３０の収縮状態を維持する力である。より詳しく言うと、おむつ１を左右方向の任意の位置で前側胴回り部２０又は後側胴回り部３０をそれぞれ右半分と左半分とに分断した場合に、右半分と左半分との間で相互に作用する力が収縮力である。この収縮力が大きいほど自然状態でより収縮された状態となり、発生する皺の数も多くなる。
【００５７】
図６Ａは、図２中の後側胴回り部３０のＡ−Ａ断面の模式図、図６Ｂは、図２中の後側胴回り部３０のＢ−Ｂ断面の模式図である。図６Ａは、上述した間隔Ｌｙに含まれる領域の断面を表し、図６Ｂは、上述した間隔Ｌｘに含まる領域の断面を表している。また、図６Ａ及び図６Ｂにおいて、肌側シート３１と非肌側シート３２は、それぞれ一体化して示しており、その断面を左斜め下のハッチング領域で示している。
【００５８】
同図６Ａ及び図６Ｂに示すように、弾性部材３５が左右方向に収縮することによって、後側胴回り部３０が左右方向に収縮し、厚さ方向に起伏した複数の皺が形成される。このとき、図６Ａに示されるＡ−Ａ断面の方が、図６Ｂに示されるＢ−Ｂ断面よりも収縮力の大きさが大きいため、後側胴回り部３０に形成される単位領域当たりの皺の数はＡ−Ａ断面の方がＢ−Ｂ断面よりも多くなる。
【００５９】
そのため、多くの皺が形成されている図６Ａでは、皺によって隠されてしまう孔部５０が存在し、後側胴回り部３０を非肌側から見た場合に視認することができる孔部５０の数が少なくなってしまう。また、後側胴回り部３０自体を左右方向に縮めることに伴い、孔部５０も左右方向に縮められてしまい、孔部５０を視認しづらくなってしまう。一方、皺がより少ない図６Ｂでは、後側胴回り部３０を非肌側から見た場合に、孔部５０が皺によって隠され難くなる。また、図６Ｂでは、図６Ａの場合よりも左右方向への収縮が小さくなるため、孔部５０の左右方向への縮みよりもより少ない縮み度合いとなるため、より孔部５０を視認しやすくなる。
【００６０】
また、後側非重なり領域３０ＮＬにおける最も下側に位置する弾性部材３５ａの張力が、後側胴回り部３０のうち前側胴回り部２０と重ねられた領域における最も下側に位置する弾性部材３５ｃの張力よりも小さいことがより好ましい。これによって、後側非重なり領域３０ＮＬの収縮力をより小さくして、後側非重なり領域３０ＮＬに形成される皺の数を減らし、後側非重なり領域３０ＮＬにおいて孔部５０が皺で覆われてしまう恐れを軽減し、おむつ１を前側及び後側のどちらから見ても、後側非重なり領域３０ＮＬの孔部を視認しやすくすることができる。
【００６１】
また、後側非重なり領域３０ＮＬにおける最も下側に位置する弾性部材３５ａよりもさらに下側に孔部５０が設けられていることがより好ましい。弾性部材３５ａよりも下側の領域では他の領域と比較して弾性部材３５の張力が作用し難く収縮し難いため、後側胴回り部３０に皺が形成され難い。したがって、当該領域に配置された孔部５０は、皺や収縮の影響を受け難く、より視認しやすくなる。これにより、使用者は、おむつ１における良好な通気性をより認識しやすくなる。
【００６２】
また、図２に示されるように、後側非重なり領域３０ＮＬに備えられている孔部５０のうち少なくとも一部は、上下方向において、レッグギャザーＬＧを形成する脚回り弾性部材４５による伸縮性が発現している範囲（図２の実線で示される範囲、以下脚回り弾性部材４５の「有効長」とも呼ぶ）と重複しない領域に配置されている。言い換えると、後側非重なり領域３０ＮＬのうち、上下方向において脚回り弾性部材４５の有効長と重複しない領域に少なくとも１つの孔部５０が備えられている。
【００６３】
上下方向における脚回り弾性部材４５の有効長範囲では、後側非重なり領域３０ＮＬを上下方向に収縮させる力が作用する。したがって、当該領域に配置されている孔部５０は上下方向に縮められやすく、視認し難くなるおそれがある。これに対して、上下方向において脚回り弾性部材４５による伸縮性が発現している範囲（有効長）と重複しない領域では、該脚回り弾性部材４５による上下方向の収縮力が作用し難いため、当該領域に配置された孔部５０は上下方向に縮み難く、視認性が悪化することを抑制しやすくなる。したがって、脚回り弾性部材４５の有効長と重複しない領域に孔部５０が備えられていることにより、後側非重なり領域３０ＮＬが良好な通気性を有していることを使用者に認識させやすくなる。
【００６４】
但し、後側非重なり領域３０ＮＬのうち、上下方向において脚回り弾性部材４５の有効長と重複する領域に孔部５０が備えられていても良い。図７は、後側非重なり領域３０ＮＬにおける孔部５０の配置の変形例について示す概略平面図である。同図７では、後側非重なり領域３０ＮＬに設けられた複数の孔部５０のうち、孔部５０Ｌが上下方向において脚回り弾性部材４５の有効長と重複する領域に配置されている。
【００６５】
孔部５０が上下方向において脚回り弾性部材４５の有効長と重複する場合、該孔部５０は、左右方向において該脚回り弾性部材４５から所定の距離だけ離れた位置に配置されることが望ましい。図７で、吸収性本体１０の左右方向の端１０ｅｓと後側胴回り部３０の左右方向の端３０ｅｓとの間の左右方向における距離をＷＳ３０とすると、吸収性本体１０の左右方向の端１０ｅｓからＷＳ３０の１／２以上離れた位置に孔部５０Ｌが備えられている。脚回り弾性部材４５から所定距離（ＷＳ３０×１／２）以上離れて孔部５０Ｌが配置されることにより、該脚回り弾性部材４５による伸縮性が孔部５０Ｌの位置まで作用し難くなり、孔部５０Ｌは上下方向に縮み難く、視認性が悪化することを抑制しやすくなる。これにより、後側非重なり領域３０ＮＬが良好な通気性を有していることを使用者に認識させやすくすることができる。
【００６６】
また、おむつ１の後側胴回り部３０では、前後方向において前側胴回り部２０と重ねられていない後側非重なり領域３０ＮＬに備えられている孔部５０の単位面積あたりの数が、前後方向において前側胴回り部２０と重ねられた領域（後側重なり領域３０Ｌ）に備えられている孔部５０の単位面積あたりの数よりも少ない。すなわち、後側胴回り部３０では、後側非重なり領域３０ＮＬにおける開孔密度が、後側重なり領域３０Ｌにおける開孔密度よりも小さい。
【００６７】
後側非重なり領域３０ＮＬ（臀部カバー）は、前後方向に他のシート部材が重ね合わされていない（シート部材が積層されていない）ため、後側重なり領域３０Ｌと比較して強度が低くなりやすく、おむつ１を着用する際に、使用者（着用する者や、着用させる者）の指が引っかかる等によって破れてしまうおそれがある。そこで、後側非重なり領域３０ＮＬにおける開孔密度を後側重なり領域３０Ｌよりも小さくすることで、強度が過度に低下することを抑制して後側非重なり領域３０ＮＬを破れ難くすることができる。また、開孔密度が小さいことにより、後側非重なり領域３０ＮＬでは各々の孔部５０が目立ちやすくなり、使用者に良好な通気性を認識させやすくしている。
【００６８】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【００６９】
上述の実施形態においては、前側胴回り部２０及び後側胴回り部３０の両方に、それぞれ孔部５０を形成したが、これに限られない。例えば、前側胴回り部２０又は後側胴回り部３０のいずれかのみに孔部５０を形成したものでも良い。但し、前側胴回り部２０と後側胴回り部３０の両方に孔部５０形成することによって、おむつ１の通気性をより向上させることができる。
【００７０】
上述の実施形態においては、前側胴回り部２０及び後側胴回り部３０に、円形状の孔部５０を設けたがが、これに限られない。例えば、矩形や楕円、星形等任意の形状の貫通孔を設けても良い。さらに、前側胴回り部２０と後側胴回り部３０とで、異なる形状の孔部５０を設けても良いし、異なる大きさの孔部５０を設けても良い。
【００７１】
上記実施の形態に係るおむつ１は、乳幼児を着用対象としたが、これに限定されるものではなく、大人を着用対象としても良い。また、上述の実施形態においては、吸収性物品の一例として所謂３ピースタイプの使い捨ておむつ１を例示したが、何らこれに限られない。例えば、前側胴回り部２０と後側胴回り部３０を一体として形成した所謂２ピースタイプの使い捨ておむつや、テープ式の使い捨ておむつでも良い。
【符号の説明】
【００７２】
１  おむつ（吸収性物品）、
１０  吸収性本体、１０ｅｓ  端（左右方向）、
１１  吸収体、
１１ｃ  吸収性コア、１１ｒ  コアラップシート、
１１ｆ  領域、１１ｂ  領域、
１３  トップシート、１４  外装シート、１５  バックシート、
２０  前側胴回り部、
２０ａ  側端部（端部）、２０ｔ  前側上端、
２１  肌側シート、２２  非肌側シート、２２ｆ  折り返し部分、
２４  シート部材、２５  弾性部材、２６  弾性部材、２８  弾性部材、
３０  後側胴回り部、
３０ａ  側端部（端部）、３０ｅｓ  端（左右方向）、３０ｔ  後側上端、
３０Ｌ  後側重なり領域、
３０ＮＬ  後側非重なり領域、３０ＮＬＵ  後側非重なり領域、
３１  肌側シート、３２  非肌側シート、３２ｆ  折り返し部分、
３４  シート部材、３５  弾性部材、
３５ａ  弾性部材（第１弾性部材）、３５ｂ  弾性部材、
３５ｃ  弾性部材（第２弾性部材）、３５ｄ  弾性部材、
４５  脚回り防漏壁弾性部材４６  防漏壁弾性部材、
５０  孔部、５０Ｌ  孔部、
ＢＨ  胴回り開口部、ＬＨ  脚回り開口部、
ＬＧ  レッグギャザー、ＬＳＧ  レッグサイドギャザー（立体ギャザー）
【図１】
2019084042.tif 000003
【図２】
2019084042.tif 000004
【図３】
2019084042.tif 000005
【図４】
2019084042.tif 000006
【図５】
2019084042.tif 000007
【図６】
2019084042.tif 000008
【図７】
2019084042.tif 000009